(57)【要約】      （修正有）【課題】牽引に際し、特別の部品や手間を必要とすることなく、簡易な構造で線状体から外れにくいシンブルを提供する。【解決手段】シンブル１０は、電気絶縁体からなる円板の外周面に略Ｕ字状断面のＵ字溝３が形成され、このＵ字溝３に巻回した線状体Ｇ、ｇを、円板の中心に設けた貫通孔１にフックＦを挿通させて牽引するシンブル１０であって、Ｕ字溝３の内壁面の先端部に、Ｕ字溝３に巻回した線状体Ｇ、ｇが外れるのを防止するための脱落防止用爪７を設ける。【選択図】図２
0003176565.tif 000002
【実用新案登録請求の範囲】
【請求項１】
電気絶縁体からなる円板の外周面に略Ｕ字状断面の円周溝が形成され、該円周溝に巻回した線状体を、前記円板の中心に設けた貫通孔にフックを挿通させて牽引するシンブルであって、
前記円周溝の内壁面の先端部に、前記円周溝に巻回した線状体が外れるのを防止するための脱落防止用爪を設けたことを特徴とするシンブル。
【請求項２】
脱落防止用爪の円板軸方向の断面形状は、線状体を円周溝に巻回する場合は線状体が円周溝に進入し易く、前記線状体を円周溝から取り外す場合は線状体が円周溝から外れ易い断面形状に形成されていることを特徴とする請求項１記載のシンブル。
【請求項３】
円板の外周面には、線状体の線径に応じて、外周面からさらに外方向に突出するフランジ部分が、円周溝の両側に対向して形成されていることを特徴とする請求項１または請求項２に記載のシンブル。
【請求項４】
脱落防止用爪が、フランジ部分の内壁面の先端部に形成されていることを特徴とする請求項３に記載のシンブル。
【考案の詳細な説明】
【技術分野】
【０００１】
本考案は、例えば電線、ワイヤーロープ等の支線を牽引する際に牽引具として用いるシンブルに関する。
【背景技術】
【０００２】
図３は、従来のシンブルの使用図である。
【０００３】
図３（ａ）に示すように、従来のシンブルＳは、その外周面にエンドレスのＵ字状溝Ｍを有する滑車状をした牽引具であり、そのエンドレス溝Ｍに例えば電線、巻線グリップに用いられるワイヤーロープ等の牽引すべき種々の線状体Ｇを略半周させ、シンブルＳの中心部の貫通穴Ｈに挿通したフックＦで牽引するものである。
【０００４】
上記シンブルＳは、従来より電設資材として多くの場所及び機器類に多用されており、その材質は、フックＦからの牽引力に耐えるとともに電気的導通を避けるために、所定の強度を有する絶縁体で構成されることが多い。
【０００５】
しかし、この従来のシンブルＳは、図３（ｂ）に示すように、出荷前の組み立て時には、シンブルＳが線状体Ｇから外れ易く、矢印Ａのように移動してしまうので作業効率が落ちる。また、組み立て後の使用中においては、地震などの異常な張力変動があると線状体ＧがシンブルＳのＵ字状溝Ｍから外れてしまうので、フックＦが直接、線状体Ｇを牽引し、絶縁が確保されなくなる等の欠点があった。
【０００６】
上記欠点に対する従来技術としては、特許文献１の半割シンブル(不図示)のように、シンブルの線状体との接触部を常に所定形状に維持するものがあるが、これとて線状体またはフックが地震、強風等何らかの理由によりシンブルに力が加えられた場合には、やはり線状体から外れてしまうので、上記問題の解決になる得るものではなかった。
【先行技術文献】
【特許文献】
【０００７】
【特許文献１】特開２００４−２３６４９１号公報（段落００２５、図２）
【考案の概要】
【考案が解決しようとする課題】
【０００８】
そこで、本考案は、上記従来技術の問題点を解決せんとするものであり、フックによる牽引に際し、特別の部品や手間を必要とすることなく、簡易な構造で線状体から外れにくいシンブルを提供することを目的とする。
【課題を解決するための手段】
【０００９】
上記課題を達成するため、本考案に係るシンブルは、電気絶縁体からなる円板の外周面に略Ｕ字状断面の円周溝が形成され、該円周溝に巻回した線状体を、前記円板の中心に設けた貫通孔にフックを挿通させて牽引するシンブルであって、前記円周溝の内壁面の先端部に、前記円周溝に巻回した線状体が外れるのを防止するための脱落防止用爪を設けたことを特徴とする。
【００１０】
ここで、本考案でいう「略Ｕ字状断面」とは、文字通りのＵ字状断面の他、「半円状断面」、「多角角状断面」等の種々の断面形状をも含む広い概念のものである。
【００１１】
また、本考案の「円周溝」とは、シンブルを正面から見た場合に、シンブルの外周面（板厚面部分）に形成された円形のエンドレス溝をいうのであるが、要は線状体を巻きつけられる溝があればよいのである。
【００１２】
したがって、「円周溝」とは、そのエンドレス溝が完全な「円形の溝」である必要はなく、円形に近似した楕円形、菱形等の溝をも含む広い概念のものである。この円周溝は、線状体の線径の大小に対応させて、その溝半径を変更するのが好ましい。
【００１３】
「脱落防止用爪」は、円板軸方向の断面形状は、特に限定されず如何なるものであってもよいが、円周溝に掛けられた線状体が外れるのを防止するいわば係止爪であるため、線状体を円周溝に巻回する場合は線状体が円周溝に進入し易く、逆に、線状体を円周溝から取り外す場合は線状体が円周溝から外れ易い断面形状に形成されているのが好ましい。そのような断面形状の具体例としては、例えば先端部が鍵形（フック形）に形成されたもの、あるいは突起形に形成されたもの等が挙げられる。
【００１４】
「脱落防止用爪」の全体形状は、所定長さの直線状のものでも、また、線状体の線形に対応させた円弧状のものであってもよい。
【００１５】
本考案のシンブルによれば、組み立て時および使用中の線状体の牽引に際し、円周溝の内壁面の先端部に設けた脱落防止用爪が、円周溝に巻回した線状体が外れるのを防止するため、組み立て作業の効率が格段に向上する。
【００１６】
また、たとえ牽引後にシンブルに対して地震、強風等による何らかの力が加えられても、特別の別体の部品や手間を要することなく、外れにくいシンブルが得られる。
【００１７】
円板の外周面には、線状体の線径に応じて、外周面からさらに外方向に突出するフランジ部分を円周溝の両側に対向して設けるのが好ましい。例えば、線状体の線径が大きい場合は、円板の外周面からの突出量を大きくし、一方、中心の貫通孔を介した対向側の外周面からは突出量を小さくしたフランジ部分を設けるのである。
【００１８】
そして、前述した脱落防止用爪を、そのフランジ部分の内壁面の先端部に形成するのである。
【００１９】
この態様のシンブルによれば、線径が大きな線状体は、突出量が大きなフランジ部分の円周溝に、線径が小さな線状体は、突出量が小さなフランジ部分の円周溝に巻回するので、作業者は、たとえ線状体の線径が異なってもシンブルのいずれの位置に巻回するのかの目視判断が容易になる。
【００２０】
また、突出量が大きなフランジ部分の円周溝に形成されている脱落防止用爪の位置は、円周溝の溝底からの距離が長い位置に形成するのが好ましく、この場合は、たとえ線径が大きな線状体であってもシンブルの溝に容易に巻回することができる。
【００２１】
なお、フランジ部分は、シンブル外周面上の対向した２箇所だけでなく、線状体の線径に応じて円周方向に３等配、４等配等の複数位置に配置してもよい。
【考案の効果】
【００２２】
本考案のシンブルによれば、出荷前の組み立て時や、使用中における線状体の牽引中に、円周溝の内壁面の先端部に設けた脱落防止用爪が円周溝に巻回した線状体から外れるのを防止するため、組み立て作業の効率が格段に向上する。
【００２３】
また、組み立て後の牽引中において、シンブルに対して地震、強風等による何らかの力が加えられても、線状体から外れにくい作用効果を奏する。
【００２４】
更に、脱落防止用爪は、シンブルの略Ｕ字状断面の円周溝に一体に形成されているので、特別の別部材や特別の手間を要することなく、効果的に線状体を牽引できる。したがって、牽引作業の作業効率がより一層向上する。
【図面の簡単な説明】
【００２５】
【図１】本考案に係るシンブルの全体図で、そのうち図１（ａ）は斜視図、図１（ｂ）は平面図、図１（c）は図１（ｂ）のシンブルのＡ−Ａ断面図である。
【図２】本考案に係るシンブルの使用図で、そのうち図２（ａ）は小径の線状体を使用した場合の斜視図、図２（ｂ）は大径の線状体を使用した場合の斜視図である。
【図３】従来のシンブルの使用図で、そのうち図３（ａ）はシンブルが外れる前の正面図、図３（ｂ）はシンブルが外れた直後の正面図である。
【考案を実施するための形態】
【００２６】
以下、本考案に係るシンブル１０の実施形態を図面に基づいて説明する。
【００２７】
図１は、本考案に係るシンブル１０の全体斜視図である。すなわち、本考案のシンブル１０は、全体形状が略滑車状をした牽引具であり、その中心部には、例えば鋼線、ロープ等のフックＦを挿通して牽引するための貫通孔１が設けられている。また、貫通孔１の開口部には、フックＦが９０度の無理な角度に屈曲しないように、大きな半径Ｒ（図１（c）参照）による面取り加工部２が形成されている。
【００２８】
また、外周面には、溝底３ａの半径がｒ（図１（c）参照）のエンドレスの略Ｕ字状溝（以下、「Ｕ字溝」と略称する。）３が形成されており、そのＵ字溝３の両側の鍔４からは、さらに外方向に突出長さの大きなフランジ部分５と、突出長さの小さなフランジ部分６とが、貫通孔１を介して互いに対向して形成されている。本実施形態では、Ｕ字溝３の溝底３ａは、図１（ｂ）に破線で示したように円形であるが、前述したように楕円形のほか、その他の形状であってもよい。
【００２９】
図１（ｂ）に示すように、突出長さの大きなフランジ部分５と、突出長さの小さなフランジ部分６は、いずれも半径の異なる大小二つの円弧部分であり、突出長さの大きなフランジ部分５は、大きな半径で、突出長さの小さなフランジ部分６は、小さな半径で形成されている。
【００３０】
そして、図１（c）に示すように、突出長さの大きなフランジ部分５と、突出長さの小さなフランジ部分６の内壁面の先端部には、互いに対向するように縦断面が鍵形の脱落防止用爪７が形成されている。この脱落防止用爪７の縦断面形状は、開口側(Ｕ字溝３と反対側)が、線状体ＧがＵ字溝３に進入しやすいようにテーパー状に形成され、内部のＵ字溝３側は、溝内に巻回された線状体Ｇが外れないように中心軸と平行に形成されている。
【００３１】
また、脱落防止用爪７のＵ字溝３の溝底３ａからの距離は、線状体Ｇ、gの線径の大小に応じた距離に形成されている。すなわち、突出長さの大きなフランジ部分５の裏側には、大きな外径の線状体Ｇが巻回できる距離Ｐとし、一方、突出長さの小さなフランジ部分６の裏側には、小さな外径の線状体Ｇが巻回できる距離Ｑ（Ｐ＞Ｑ）に形成されている。
【００３２】
この脱落防止用爪７は、Ｕ字溝３に線状体Ｇを巻回したときに、丁度線状体Ｇの上側となるフランジ部分の先端部の位置に形成されているので、線状体ＧがＵ字溝３から外れるのを効果的に防止することができる。
【００３３】
なお、脱落防止用爪７は、図の如くフランジ部分５、６または鍔４の内壁面に、例えば射出成形、鋳造、鍛造、溶接等の手段により一体に形成してもよいし、別部材の係止爪をビス等の適当な締結手段で一体に固定してもよい。
【００３４】
また、本実施形態の脱落防止用爪７の長さは、フランジ部分の大小に関わらず、一定長さＬのものとしているが、線状体Ｇの外径の大小に応じた長さ又は形状としても良い。
本考案のシンブル１０は、電設部材して使用するため、その材質は例えばエンジニヤリングプラスチック、ガラス、陶器等の、ある程度の引張強度を有する電気絶縁体で構成される。
【００３５】
次に、図２を参照して本考案のシンブル１０の使用方法を説明する。
【００３６】
図２は、本考案のシンブル１０の使用方法を説明する斜視図で、そのうち図２（ａ）は外径が小径の線状体Ｇを巻回した状態の斜視図、図２（ｂ）は大径の線状体Ｇを巻回した状態の斜視図である。
【００３７】
すなわち、線状体Ｇが小径の場合は、図２（ａ）に示すように、線状体Ｇを突出長さが小さなフランジ部分６側のＵ字溝３に巻回し、線状体が大径の場合は、図２（ｂ）に示すように、線状体Ｇを突出長さが大きなフランジ部分５側のＵ字溝３に巻回するのである。
この場合、前述したように、突出長さが大きなフランジ部分５は、フランジ部分が大きな半径で形成され、突出長さが小さなフランジ部分６は、フランジ部分が小さな半径で形成されているので、目視による判断が容易となり、作業者はより一層、線径が異なる場合の線状体Ｇ、ｇをいずれの側のフランジ部分に巻回したら良いのかの判断が容易になるという作用効果を奏する。
【００３８】
また、フランジ部分５、６に、適用線状体に対応した色別表示を施しても良い。
本考案のシンブル１０によれば、作業者は、線状体Ｇの組み立てに際し、シンブル１０のフランジ部分が牽引対象の線状体の断面サイズに応じて、異なる形状に形成されているので、目視による判断が容易となり、組み立て位置の選択が極めて容易になる。
【００３９】
また、フランジ部分５、６の内壁面の先端部には、脱落防止用爪７が設けられているので、たとえ牽引後に線状体Ｇ、ｇ又はシンブルＳに対して地震、強風等による力が加えられても、シンブル１０は、線状体Ｇ、ｇから外れにくい作用効果を奏する。
【００４０】
また、脱落防止用爪７は、シンブル１０のＵ字溝３に一体に形成されているので、本考案のシンブル１０は特別の別部材や特別の手間を必要とすることなく使用が可能である。
以上、本考案の好ましい実施形態について説明したが、本考案は前述した実施形態のものに限定されず、実用新案登録請求の範囲および実施形態に記載された範囲内で種々の変形、応用又は組み合わせが可能であり、これらの変形、組み合わせ、応用例も本考案の範囲に含まれることはいうまでもない。
【符号の説明】
【００４１】
１   貫通孔
２   面取加工部 
３   Ｕ字溝(略Ｕ字状断面の円周溝)
４   鍔
５   大きなフランジ部分
６   小さなフランジ部分
７   脱落防止用爪
１０   シンブル（本考案）
Ｆ   フック
Ｇ、g   線状体  
Ｐ、Ｑ  距離
Ｓ   シンブル
【図１】
0003176565.tif 000003
【図２】
0003176565.tif 000004
【図３】
0003176565.tif 000005
【手続補正書】
【提出日】平成24年4月13日(2012.4.13)
【手続補正１】
【補正対象書類名】実用新案登録請求の範囲
【補正対象項目名】請求項２
【補正方法】変更
【補正の内容】
【請求項２】
脱落防止用爪の円板軸方向の断面形状は、先端部が鍵形あるいは突起形に形成されることにより、線状体を円周溝に巻回する場合は線状体が円周溝に進入し易く、前記線状体を円周溝から取り外す場合は線状体が円周溝から外れ易い断面形状に形成されていることを特徴とする請求項１記載のシンブル。